【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
入射した光によって電荷を発生する受光素子と、
前記発生した電荷を前記受光素子に蓄積させる蓄積手段と、
前記蓄積手段に蓄積した所望の波長の入射光に対応する電荷の電荷量を出力する出力手段と、を具備し、
前記受光素子は、入射する前記所望の波長の入射光以外の光を遮光する第１の遮光手段を設けた第１の受光素子と、入射する光を遮光する第２の遮光手段を設けた第２の受光素子を用いて構成され、
前記蓄積手段は、前記第１の受光素子と、前記第２の受光素子に、前記発生した電荷を蓄積させ、
前記出力手段は、前記第１の受光素子と前記第２の受光素子に蓄積させた電荷量の差分を取得する差分取得手段を備え、当該差分を前記所望の波長の入射光に対応する電荷の電荷量として出力する、
ことを特徴とする光検出装置。
【請求項２】
前記第１の受光素子と、前記第２の受光素子は、受光と蓄電の特性が同じであることを特徴とする請求項１に記載の光検出装置。
【請求項３】
入射した光によって電荷を発生する受光素子と、
前記発生した電荷を前記受光素子に蓄積させる蓄積手段と、
前記蓄積手段に蓄積した所望の波長の入射光に対応する電荷の電荷量を出力する出力手段と、を具備し、
前記受光素子は、第１の受光素子と、前記第１の受光素子と異なる分光特性を有する第２の受光素子を用いて構成され、
前記蓄積手段は、前記第１の受光素子と、前記第２の受光素子に、前記発生した電荷を蓄積させ、
前記出力手段は、前記第１の受光素子と前記第２の受光素子に蓄積させた電荷量の差分を取得する差分取得手段を備え、当該差分を所望の波長の入射光に対応する電荷の電荷量として出力する、
ことを特徴とする光検出装置。
【請求項４】
受光した光によって電荷を発生する第１の受光素子と、
受光した光によって電荷を発生し、前記第１の受光素子と異なる分光特性を有する第２の受光素子と、
前記第１の受光素子と、前記第２の受光素子に、前記発生した電荷を蓄積させる蓄積手段と、
前記第１の受光素子と前記第２の受光素子に蓄積させた電荷の差分を取得する差分取得手段と、
前記取得した差分を出力する差分出力手段と、
を具備したことを特徴とする光検出装置。
【請求項５】
前記蓄積手段は、前記第１の受光素子と前記第２の受光素子の所定の電極を電気的に開放端とすることにより、前記電荷を蓄積させることを特徴とする請求項１から請求項４までのうちの何れか１の請求項に記載の光検出装置。
【請求項６】
前記第１の受光素子と、前記第２の受光素子の前記所定の電極は、所定のスイッチを介して、これらの受光素子に蓄積された電荷をリセットするための定電圧源に接続しており、前記蓄積手段は、前記スイッチをオフすることにより、前記所定の電極を電気的に開放端とすることを特徴とする請求項５に記載の光検出装置。
【請求項７】
前記差分取得手段は、前記第１の受光素子と前記第２の受光素子の、前記所定の電極間の電圧差によって、前記蓄積した電荷の差分を取得することを特徴とする請求項５、又は請求項６に記載の光検出装置。
【請求項８】
前記第１の受光素子と前記第２の受光素子の前記所定の電極を所定の定電圧源に接続することにより、前記第１の受光素子と前記第２の受光素子に蓄積された電荷をリセットするリセット手段を具備したことを特徴とする請求項５に記載の光検出装置。
【請求項９】
前記差分取得手段を、前記差分出力手段が差分を出力するタイミングで駆動する駆動手段を具備したことを特徴とする請求項１から請求項８までのうちの何れか１の請求項に記載の光検出装置。
【請求項１０】
光源が発する光強度の変動によって前記差分出力手段が出力する差分に生じる変動を緩和する緩和手段を具備したことを特徴とする請求項１から請求項９までのうちの何れか１の請求項に記載の光検出装置。
【請求項１１】
前記蓄積手段が電荷を蓄積する時間を光の強さに応じて変更する変更手段を具備したことを特徴とする請求項１から請求項１０までのうちの何れか１の請求項に記載の光検出装置。
【請求項１２】
請求項１から請求項１１までのうちの何れか１の請求項に記載の光検出装置と、
画像を表示する画像表示手段と、
前記光検出装置の出力を用いて外界の明るさを判断する明るさ判断手段と、
前記判断した明るさに応じて前記画像表示手段の輝度を調節する輝度調節手段と、
を具備したことを特徴とする画像表示装置。
【手続補正２】
【補正対象書類名】明細書
【補正対象項目名】０００８
【補正方法】変更
【補正の内容】
【０００８】
請求項１に記載の発明では、入射した光によって電荷を発生する受光素子と、前記発生した電荷を前記受光素子に蓄積させる蓄積手段と、前記蓄積手段に蓄積した所望の波長の入射光に対応する電荷の電荷量を出力する出力手段と、を具備し、前記受光素子は、入射する前記所望の波長の入射光以外の光を遮光する第１の遮光手段を設けた第１の受光素子と、入射する光を遮光する第２の遮光手段を設けた第２の受光素子を用いて構成され、前記蓄積手段は、前記第１の受光素子と、前記第２の受光素子に、前記発生した電荷を蓄積させ、前記出力手段は、前記第１の受光素子と前記第２の受光素子に蓄積させた電荷量の差分を取得する差分取得手段を備え、当該差分を前記所望の波長の入射光に対応する電荷の電荷量として出力する、ことを特徴とする光検出装置を提供する。
請求項２に記載の発明では、前記第１の受光素子と、前記第２の受光素子は、受光と蓄電の特性が同じであることを特徴とする請求項１に記載の光検出装置を提供する。
請求項３に記載の発明では、入射した光によって電荷を発生する受光素子と、前記発生した電荷を前記受光素子に蓄積させる蓄積手段と、前記蓄積手段に蓄積した所望の波長の入射光に対応する電荷の電荷量を出力する出力手段と、を具備し、前記受光素子は、第１の受光素子と、前記第１の受光素子と異なる分光特性を有する第２の受光素子を用いて構成され、前記蓄積手段は、前記第１の受光素子と、前記第２の受光素子に、前記発生した電荷を蓄積させ、前記出力手段は、前記第１の受光素子と前記第２の受光素子に蓄積させた電荷量の差分を取得する差分取得手段を備え、当該差分を所望の波長の入射光に対応する電荷の電荷量として出力する、ことを特徴とする光検出装置を提供する。
請求項４に記載の発明では、受光した光によって電荷を発生する第１の受光素子と、受光した光によって電荷を発生し、前記第１の受光素子と異なる分光特性を有する第２の受光素子と、前記第１の受光素子と、前記第２の受光素子に、前記発生した電荷を蓄積させる蓄積手段と、前記第１の受光素子と前記第２の受光素子に蓄積させた電荷の差分を取得する差分取得手段と、前記取得した差分を出力する差分出力手段と、を具備したことを特徴とする光検出装置を提供する。
請求項５に記載の発明では、前記蓄積手段は、前記第１の受光素子と前記第２の受光素子の所定の電極を電気的に開放端とすることにより、前記電荷を蓄積させることを特徴とする請求項１から請求項４までのうちの何れか１の請求項に記載の光検出装置を提供する。
請求項６に記載の発明では、前記第１の受光素子と、前記第２の受光素子の前記所定の電極は、所定のスイッチを介して、これらの受光素子に蓄積された電荷をリセットするための定電圧源に接続しており、前記蓄積手段は、前記スイッチをオフすることにより、前記所定の電極を電気的に開放端とすることを特徴とする請求項５に記載の光検出装置を提供する。
請求項７に記載の発明では、前記差分取得手段は、前記第１の受光素子と前記第２の受光素子の、前記所定の電極間の電圧差によって、前記蓄積した電荷の差分を取得することを特徴とする請求項５、又は請求項６に記載の光検出装置を提供する。
請求項８に記載の発明では、前記第１の受光素子と前記第２の受光素子の前記所定の電極を所定の定電圧源に接続することにより、前記第１の受光素子と前記第２の受光素子に蓄積された電荷をリセットするリセット手段を具備したことを特徴とする請求項５に記載の光検出装置を提供する。
請求項９に記載の発明では、前記差分取得手段を、前記差分出力手段が差分を出力するタイミングで駆動する駆動手段を具備したことを特徴とする請求項１から請求項８までのうちの何れか１の請求項に記載の光検出装置を提供する。
請求項１０に記載の発明では、光源が発する光強度の変動によって前記差分出力手段が出力する差分に生じる変動を緩和する緩和手段を具備したことを特徴とする請求項１から請求項９までのうちの何れか１の請求項に記載の光検出装置を提供する。
請求項１１に記載の発明では、前記蓄積手段が電荷を蓄積する時間を光の強さに応じて変更する変更手段を具備したことを特徴とする請求項１から請求項１０までのうちの何れか１の請求項に記載の光検出装置を提供する。
請求項１２に記載の発明では、請求項１から請求項１１までのうちの何れか１の請求項に記載の光検出装置と、画像を表示する画像表示手段と、前記光検出装置の出力を用いて外界の明るさを判断する明るさ判断手段と、前記判断した明るさに応じて前記画像表示手段の輝度を調節する輝度調節手段と、を具備したことを特徴とする画像表示装置を提供する。